(57)【要約】【課題】  グリル庫内にグリル皿を収納するときのグリル扉の確実な位置決めと不用意な飛び出しを防止することができるグリルを提供する。【解決手段】  グリル庫２内の底面２ｂの前面開口５近傍に、連結部材７の各アーム部７ｂを滑動自在に当接させてグリル庫２内の前後方向に沿ってガイドするローラ１５をそれぞれ設け、グリル庫２の前面開口５をグリル扉６で閉じたときに、各アーム部７ｂの先端側の傾斜辺７ｂ４がローラ１５の奥側に入るようにした。【選択図】      図１
2005192870.tif 000002
【特許請求の範囲】
【請求項１】
調理用の熱源を備え、前面が開口された調理庫と、前記開口を開閉する調理庫扉と、前記開口を通して前記調理庫内に出し入れ自在に収納される調理皿と、前記調理庫扉が前記開口を起立状態で閉じるための前記調理庫扉から後方に略水平に伸びる支え部材を備え、前記開口を閉じている前記調理庫扉を手前側に移動させることにより前記調理皿を引き出すようにした調理器において、
前記調理庫の底面に、前記調理庫の奥方側が下がる段差部を設け、
前記調理庫の開口を前記調理庫扉で閉じたときに前記段差部の角部に乗るか又は奥方に入る傾斜部を前記支え部材に設けた、
ことを特徴とする調理器。
【請求項２】
調理用の熱源を備え、前面が開口された調理庫と、前記開口を開閉する調理庫扉と、前記開口を通して前記調理庫内に出し入れ自在に収納される調理皿と、前記調理庫扉が前記開口を起立状態で閉じるための前記調理庫扉から後方に略水平に伸びる支え部材を備え、前記開口を閉じている前記調理庫扉を手前側に移動させることにより前記調理皿を引き出すようにした調理器において、
前記調理庫の底面に、奥方へ行くほど下がり傾斜の滑り台を設け、
前記調理庫の開口を前記調理庫扉で閉じたときに前記滑り台に乗るか又は奥方に入る、奥側の水平部から上がるように形成された角部を前記支え部材に設けた、
ことを特徴とする調理器。
【請求項３】
調理用の熱源を備え、前面が開口された調理庫と、前記開口を開閉する調理庫扉と、前記開口を通して前記調理庫内に出し入れ自在に収納される調理皿と、前記調理庫扉が前記開口を起立状態で閉じるための前記調理庫扉から後方に略水平に伸びる支え部材を備え、前記開口を閉じている前記調理庫扉を手前側に移動させることにより前記調理皿を引き出すようにした調理器において、
前記調理庫の底面に、奥方へ行くほど下がり傾斜の滑り台を設け、
前記調理庫の開口を前記調理庫扉で閉じたときに前記滑り台に乗るか又は奥側に入る、前側よりも奥側が下がる傾斜部を前記支え部材に設けた、
ことを特徴とする調理器。
【請求項４】
前記支え部材は、先端部が前記調理庫扉に取付けられた前記調理皿である、
ことを特徴とする請求項１から３のいずれか１項に記載の調理器。
【請求項５】
前記支え部材は、先端部が前記調理庫扉に取付けられ、前記調理皿を連結する連結部材である、
ことを特徴とする請求項１から３のいずれか１項に記載の調理器。
【請求項６】
前記連結部材は、前記調理皿の後部に係合する後辺部と、該後辺部の両側から前記調理皿の両側辺に沿って前方に伸びる左右のアーム部を有し、該アーム部の先端部が前記調理庫扉に取付けられた、
ことを特徴とする請求項５に記載の調理器。
【請求項７】
前記支え部材の傾斜部を、前記アーム部の先端部を上に曲げた曲がり部で形成した、
ことを特徴とする請求項６に記載の調理器。
【請求項８】
前記支え部材の傾斜部を、前記調理皿の底面に形成した、
ことを特徴とする請求項４に記載の調理器。
【請求項９】
前記滑り台はローラである、
ことを特徴とする請求項２から８のいずれか１項に記載の調理器。
【発明の詳細な説明】
【技術分野】
【０００１】
本発明は、テーブルこんろに組み込まれる例えばグリル等の調理器に関する。
【背景技術】
【０００２】
魚等の被調理物を調理するのに使用されるグリルのような調理器は、例えばガスコンロに一体的に組み込まれている。この種のグリルとして、内部にガスバーナが設けられたグリル庫（焼成庫）内に、出入りされるグリル皿と、グリル庫の前面開口を開閉するグリル扉とを連結して設け、グリル扉の前面に設けた把手を手前に引くことによって、グリル皿をグリル庫から引き出すようにしたものが知られている（例えば、特許文献１参照。）。
【０００３】
また、グリル皿とグリル扉とを連結する連結部材をグリル扉に設け、グリル扉の把手を手前に引くことによって、グリル扉と共に動く連結部材と連動してグリル皿をグリル庫から引き出すようにしたものが知られている（例えば、特許文献２参照。）。
【０００４】
この上記特許文献２のグリルでは、焼網上の魚等の被調理物を取り出し易いように、グリル扉の把手を手前に引いて連結部材を介してグリル皿をグリル庫から引き出す際に、グリル皿が水平状態に保持されたまま引き出される一方、引き出された連結部材をグリル扉の自重によって前下がりに揺動させて、グリル扉を下げるように構成されている。
【特許文献１】実開平３−１１１８１３号公報
【特許文献２】特開平９−８９２７２号公報
【発明の開示】
【発明が解決しようとする課題】
【０００５】
ところで、上記特許文献１及び２のようなグリルでは、グリル扉がグリル庫の前面開口を起立状態で閉じるための支え部材（上記のグリル皿や連結部材）を、グリル扉の裏面下部に水平状態に取付けていて、グリル庫の前面開口をグリル扉で閉じたときに、グリル扉が起立状態の安定した姿勢であることからグリル扉を所定位置に位置決めして係止する係止手段を有していなかった。
【０００６】
このため、閉じたグリル扉に不用意に触れた場合などにグリル扉が少し出てしまったり、グリル扉を閉じたときに確実に押し込まれていないと、グリル扉とグリル庫の前面開口との間に隙間が生じてグリル扉が完全に閉まっていないことがある。よって、焼成調理時に、グリル扉が完全に閉まっていないと、グリル庫の前面開口から熱や排煙が漏れる場合があった。
【０００７】
特に、グリル皿をスムーズに出し入れできるように、グリル庫の底面に滑動体（例えばローラ）を設けた場合、例えば上記特許文献２のように、グリル扉に連結部材を設け、グリル扉を開くと連結部材を介してグリル皿が引き出されるものでは、連結部材を受ける滑動体（例えばローラ）をグリル庫のグリルの底面前部（グリル庫の前面開口の下面）に設けて、グリル皿を引き出し易くした場合には、グリル扉が不用意に触れて少し出てしまったりするこことがある。
【０００８】
そこで本発明は、グリル庫内にグリル皿を収納するときのグリル扉の確実な位置決めと不用意な突出を防止することができる調理器を提供することを目的とする。
【課題を解決するための手段】
【０００９】
上記目的を達成するために請求項１に記載の発明は、調理用の熱源を備え、前面が開口された調理庫と、前記開口を開閉する調理庫扉と、前記開口を通して前記調理庫内に出し入れ自在に収納される調理皿と、前記調理庫扉が前記開口を起立状態で閉じるための前記調理庫扉から後方に略水平に伸びる支え部材を備え、前記開口を閉じている前記調理庫扉を手前側に移動させることにより前記調理皿を引き出すようにした調理器において、前記調理庫の底面に、前記調理庫の奥方側が下がる段差部を設け、前記調理庫の開口を前記調理庫扉で閉じたときに前記段差部の角部に乗るか又は奥方に入る傾斜部を前記支え部材に設けたことを特徴としている。
【００１０】
また、請求項２に記載の発明は、調理用の熱源を備え、前面が開口された調理庫と、前記開口を開閉する調理庫扉と、前記開口を通して前記調理庫内に出し入れ自在に収納される調理皿と、前記調理庫扉が前記開口を起立状態で閉じるための前記調理庫扉から後方に略水平に伸びる支え部材を備え、前記開口を閉じている前記調理庫扉を手前側に移動させることにより前記調理皿を引き出すようにした調理器において、前記調理庫の底面に、奥方へ行くほど下がり傾斜の滑り台を設け、前記調理庫の開口を前記調理庫扉で閉じたときに前記滑り台に乗るか又は奥方に入る、奥側の水平部から上がるように形成された角部を前記支え部材に設けたことを特徴としている。
【００１１】
また、請求項３に記載の発明は、調理用の熱源を備え、前面が開口された調理庫と、前記開口を開閉する調理庫扉と、前記開口を通して前記調理庫内に出し入れ自在に収納される調理皿と、前記調理庫扉が前記開口を起立状態で閉じるための前記調理庫扉から後方に略水平に伸びる支え部材を備え、前記開口を閉じている前記調理庫扉を手前側に移動させることにより前記調理皿を引き出すようにした調理器において、前記調理庫の底面に、奥方へ行くほど下がり傾斜の滑り台を設け、前記調理庫の開口を前記調理庫扉で閉じたときに前記滑り台に乗るか又は奥側に入る、前側よりも奥側が下がる傾斜部を前記支え部材に設けたことを特徴としている。
【００１２】
また、前記支え部材は、先端部が前記調理庫扉に取付けられた前記調理皿であることを特徴としている。
【００１３】
また、前記支え部材は、先端部が前記調理庫扉に取付けられ、前記調理皿を連結する連結部材であることを特徴としている。
【００１４】
また、前記連結部材は、前記調理皿の後部に係合する後辺部と、該後辺部の両側から前記調理皿の両側辺に沿って前方に伸びる左右のアーム部を有し、該アーム部の先端部が前記調理庫扉に取付けられたことを特徴としている。
【００１５】
また、前記支え部材の傾斜部を、前記アーム部の先端部を上に曲げた曲がり部で形成したことを特徴としている。
【００１６】
また、前記支え部材の傾斜部を、前記調理皿の底面に形成したことを特徴としている。
【００１７】
また、前記滑り台はローラであることを特徴としている。
【発明の効果】
【００１８】
請求項１に記載の発明によれば、調理庫の前面の開口を調理扉で閉じたときに、調理庫扉から後方に略水平に伸びる支え部材に設けた傾斜部が、調理庫の底面に設けた奥方側が下がる段差部の角部に乗るか又は奥方に入って係止されることにより、不用意なグリル扉の飛び出しを防止することができる。
【００１９】
また、請求項２に記載の発明によれば、調理庫の前面の開口を調理扉で閉じたときに、調理庫扉から後方に略水平に伸びる支え部材に設けた角部が、調理庫の底面に設けた奥方へ行くほど下がり傾斜の滑り台に乗るか又は奥方に入って係止されることにより、不用意なグリル扉の飛び出しを防止することができる。
【００２０】
また、請求項３に記載の発明によれば、調理庫の前面の開口を調理扉で閉じたときに、調理庫扉から後方に略水平に伸びる支え部材の傾斜部が、調理庫に設けた滑り台に乗るか又は奥方に入って係止されることにより、不用意なグリル扉の飛び出しを防止することができる。
【発明を実施するための最良の形態】
【００２１】
以下、本発明を図示の実施形態に基づいて説明する。
〈実施形態１〉
図１は、本発明の実施形態１に係る調理器としてのグリル１を示す概略側断面図であり、該グリル１はテーブルこんろ（破線部分）の正面からみて中央部又は側方部に組み込まれている。グリル１は、前面が開口した箱状のグリル庫（調理庫）２と、グリル庫２内の天井部２ａに配置したガスバーナ等の加熱源３と、グリル庫２の前後方向（図の左右方向）に前面開口５を介して出し入れ自在なグリル皿（調理皿）４と、グリル庫２の前面開口５を開閉するグリル扉（調理庫扉）６と、グリル扉６が前面開口５を起立状態で閉じるためにグリル扉６の裏面下部に取付けられた後方に略水平に伸びる支え部材としての連結部材７と、グリル皿４をグリル庫２の前面開口５から出し入れするための把手８と、グリル皿４の上部に取外し自在に配置され、魚等の被調理物Ｆを載せる焼網９を備えている。
【００２２】
把手８は、グリル扉６の前面下部に一体的に設けられている。グリル扉６は、図１、図２に示すように、金属枠１０の上部側に透明な耐火ガラス１１を入れて構成されている。なお、図２では、グリル皿４の上部に取外し自在に配置される焼網９は取り外した状態である。
【００２３】
グリル皿４の左右両側上部に形成した左右縁部４ａの各後側に形成した開口には、グリル皿ローラ１２が回転自在にそれぞれ軸支されている。各グリル皿ローラ１２の上部は左右縁部４ａの上方に露出している。グリル皿４の後側上部に形成した後縁部４ｂには、後述する連結部材７の後辺部７ａを係合するための２つの突起部４ｃが形成され、更に、後縁部４ｂの両側には、連結部材７の後辺部７ａの両側を係合するための切欠き部４ｄがそれぞれ形成されている。各突起部４ｃはグリル皿４の幅方向（左右方向）に沿って形成されている。後縁部４ｂには、その幅方向に沿って連結部材７の後辺部７ａが入り込む凹溝が形成されている。
【００２４】
グリル皿４の左右縁部４ａの両側には、左右縁部４ａから一段下がるようにして外側に突出しているガイド突出部４ｅが一体にそれぞれ形成されている。また、グリル皿４の底部４ｆの後側中央部には、その幅方向に沿って下方へ突出した突起部４ｇが形成されている。
【００２５】
連結部材７は、図２に示すように、水平部となる左右の各アーム部７ｂ，７ｂとそれらを後部で繋ぐ後辺部７ａとを有する略コ字状に曲げられた金属棒で形成されており、各アーム部７ｂはグリル皿４の左右縁部４ａの下側に配され、後辺部７ａは後縁部４ｂの上側に配される。連結部材７の後辺部７ａの両側は下方に折り曲げられ、各アーム部７ｂの後側に連続して後端下部７ｃとなり、円弧状に曲げられている。連結部材７の後辺部７ａは、グリル皿４の後縁部４ｂに形成した各突起部４ｃの手前側に形成された溝部に係合され、連結部材７の後辺部７ａの両側は、グリル皿４の後縁部４ｂの両側に形成された各切欠き部４ｄに係合されている。このように、連結部材７はその後辺部７ａを揺動軸として揺動自在に、グリル皿４の後縁部４ｂに係合されている。
【００２６】
各アーム部７ｂは、その先端７ｂ３を上方に曲げて形成された先端曲げ部７ｂ１とその後上方に向けて傾斜している後部アーム部７ｂ２を有しており、後部アーム部７ｂ２は後端下部７ｃにつながっている。連結部材７の後辺部７ａをグリル皿４の後縁部４ｂ上に形成した各突起部４ｃの手前側の溝部に係合して、後辺部７ａの両側を後縁部４ｂの両側に形成した各切欠き部４ｄに係合した際において、各アーム部７ｂの先端を上方へ曲げた曲り部である先端曲げ部７ｂ１の前側より奥側が下がる傾斜辺７ｂ４は、後述する奥方向への下り滑り台としてのローラ１５の奥側に乗っている。
【００２７】
グリル庫２には、図３に示すように、左右の側壁２ｃに前後方向に沿ってグリル庫２の底面２ｂに対して略平行な突片状の下ガイド部材１３と、下ガイド部材１３の上方に所定の隙間を設けて略平行な突片状の上ガイド部材１４が取付けられている。下ガイド部材１３と上ガイド部材１４の先端側は前面開口５の少し内側に位置し、それぞれの先端側の対向面はグリル皿４のガイド突出部４ｅを入れ易いように拡開している。
【００２８】
グリル庫２内にグリル皿４を収納しているときには、グリル皿４の両側に形成したガイド突出部４ｅが下ガイド部材１３上に摺動自在に載置され、グリル皿４の後側の各グリル皿ローラ１２が上ガイド部材１４の下面１４ａに滑動自在に当接する。
【００２９】
また、グリル庫２内の底面２ｂの前面開口５より少し内側の開口近傍の左右両側には、連結部材７の左右の各アーム部７ｂ間の幅に合わせて、後面がグリル庫２の奥方へ行くほど下り傾斜の滑り面を備えた奥方への下り滑り台となるローラ１５が回転自在にそれぞれ軸支されており、各ローラ１５の上部は底面２ｂの上方に露出している。本実施形態では、ローラ１５の奥側の円弧状外周面１５ａが前記滑り台となる。本実施形態では、奥方への下り滑り台は回転自在のローラ１５の後面であるので、連結部材７はこの回転するローラ１５により円滑に出入り自在に移動することができる。
【００３０】
グリル皿４をグリル庫２内に入れて前面開口５をグリル扉６で閉じた際に、各ローラ１５の奥側の滑り台に連結部材７の各アーム部７ｂの先端曲げ部７ｂ１の前側よりも奥側が下がる傾斜辺７ｂ４が当接する位置に設けられている。また、各ローラ１５の軸方向の中央部はその両側に対して漸次的に小径になるように形成されており、連結部材７の各アーム部７ｂが滑動する際に各アーム部７ｂの左右方向のがたつきを防止するようにしている。
【００３１】
また、グリル庫２の底面２ｂの前側中央部には、グリル皿４に形成した突起部４ｇが係止される突片状の係止部２ｄが形成されており、グリル庫２を引き出したときに突起部４ｇが係止部２ｄに係止され、グリル皿４の引き出し量を規制する。
【００３２】
本発明の実施形態１に係るグリル１は上記のように構成されており、魚等の被調理物Ｆを焼網９に載せて加熱源３による加熱によって焼成調理を行う場合などには、図１に示すように、焼網９を配置したグリル皿４はグリル庫２内に収納され、グリル扉６は連結部材７により起立状態を保たれてグリル庫２の前面開口５を閉じている。なお、加熱源３はグリル庫２内の天井部２ａ以外にも、両側面や焼網９の下方に設けることもできる。グリル皿４には焼成調理される魚等の被調理物から出る脂等が回収される。
【００３３】
この際、図１に示すように、連結部材７の各アーム部７ｂに形成された先端曲げ部７ｂ１の傾斜辺７ｂ４が各ローラ１５の奥側の滑り台（円弧状外周面１５ａ）に当接することにより、各アーム部７ｂの先端曲げ部７ｂ１の傾斜辺７ｂ４は、滑り台となるローラ１５の円弧状外周面１５ａとローラ１５の回転とが相俟ってローラ１５の奥側の滑り台を滑り落ちる力が作用して、グリル扉６がグリル庫２の前面開口５に当接する如く作用して位置決めされる。この結果、グリル扉６は閉じられる方向に作用されて、不用意な接触等による前方への飛び出しを防止している。
【００３４】
そして、魚等の被調理物Ｆの焼成調理などが終り把手８を前方に引くことによって、図４に示すように、各アーム部７ｂの先端曲げ部７ｂ１の傾斜辺７ｂ４がローラ１５の滑り台（円弧状外周面１５ａ）を乗り上げ、直線状の後部アーム部７ｂ２がローラ１５上をそれぞれ滑動して前方に引き出され、連結部材７の後辺部７ａで係合されているグリル皿４も連結部材７とともに引き出される。この際、各アーム部７ｂの後側の後端下部７ｃはグリル庫２の底面２ｂ上を前方に向けて摺動する。
【００３５】
そして、図５に示すように、グリル皿４の前方への引き出しにともなって、連結部材７はその先端に取付けたグリル扉６の自重により、グリル皿４の後縁部４ｂに係合されている後辺部７ａを揺動軸として、下方に揺動しながらグリル扉６の位置を下げる。よって、焼成調理が終了した魚等の被調理物Ｆを、グリル扉６に触れることなく、グリル皿４上の焼網９から容易に取り出すことができる。なお、グリル皿４は、その両側の各ガイド突出部４ｅが各下ガイド部材１３上を前方に向けて摺動すると共に、各上ガイド部材１４の下部１４ａに略当接する各グリル皿ローラ１２が回転しながら前方に移動することによって、略水平状態で前方に引き出される。
【００３６】
また、グリル皿４が前方に引き出されるにつれて連結部材７がその先端に取付けたグリル扉６の自重により先端側（グリル扉６側）が揺動しながら下がっていくが、このときにも、各アーム部７ｂが、奥方への下り滑り台として設けた回転自在なローラ１５上を滑動することによって、連結部材７の各アーム部７ｂは円滑に軽い力で引き出され、しかも摺れ音の発生も小さく抑えることができる。
【００３７】
グリル皿４は、その底部４ｆに形成した突起部４ｇがグリル庫２の底面２ｂに形成した係止部２ｄに係止される位置まで引き出すことができる。
【００３８】
そして、引き出されているグリル皿４をグリル庫２内に収納する場合には、把手８を少し持ち上げながら押し込んでいくことによって、引き出す場合と逆の移動動作により連結部材７の移動にともないグリル皿４がグリル庫２内に収納されていく。即ち、連結部材７の各アーム部７ｂは、各ローラ１５上を滑動しながら後方向に移動し、グリル皿４は、その両側の各ガイド突出部４ｅが下ガイド部材１３上を摺動して各グリル皿ローラ１２が各上ガイド部材１４の下部１４ａに接触回転しながら後方に移動することによって、略水平状態で後方に押し込まれる。
【００３９】
そして、更に把手８を押してグリル皿４をグリル庫２内に押し込んでグリル扉６で前面開口５を略閉じたときに、先の説明のように各アーム部７ｂの傾斜辺７ｂ４が各ローラ１５の奥側に入ることによって、各アーム部７ｂが少し下降する。よって、把手８を持ってグリル皿４をグリル庫２内に押し込んでいるグリル使用者は、アーム部７ｂが少し下降したときの感触によって、グリル皿４がグリル庫２内の所定位置まで収納されて、グリル扉６で前面開口５を閉じたことを閉じた操作時の感覚で確認することができる。
【００４０】
また、この状態からグリル扉６を開いてグリル皿４を引き出す場合には、最初に少し力を入れて把手８を手前に引いて、アーム部７ｂの先端曲げ部７ｂ１の傾斜辺７ｂ４の下端部をローラ１５上に乗り上げさせる必要がある。よって、グリル皿４がグリル庫２内の所定位置まで収納されて、グリル扉６で前面開口５を閉じているときには、ローラ１５によってアーム部７ｂの先端曲げ部７ｂ１の傾斜辺７ｂ４が係止されることにより、焼成調理中に誤って把手８やグリル扉６に接触した程度ではグリル扉６が不用意に開くことはない。
【００４１】
なお、清掃などのためグリル皿４をグリル庫２から取出すには、グリル扉６を持ち上げ、グリル皿４を連結部材７でグリル皿４の前側が後側より高くなるように持ち上げることによって突起部４ｇと係止部２ｄとの係止が解除され、斜め上方に引くことにより、連結部材７とともにグリル皿４を取り外すことができる。そして、連結部材７の後辺部７ａのグリル皿４との係合を解除することにより、グリル皿４と連結部材７を分離して取り外すことができる。
【００４２】
また、上記した実施形態１では把手８がグリル扉６の前面下部に一体に設けられている構成であったが、これ以外にも、例えば図６に示すように、把手８をグリル扉６から分離して、グリル扉６の前側に位置する把手８の両側を取付け部材１６を介してグリル皿４の両側面前部に接続しているグリルにおいても、同様に本発明を適用することができる。他の構成は上記した実施形態１と同様である。
【００４３】
このような構成のグリルでは、把手８を手前に引くと把手８はグリル皿４とともに水平方向に移動し、グリル扉６のみが連結部材７の各アーム部７ｂとともに下方に揺動する。
【００４４】
なお、グリル扉６への連結部材７の取付けは、グリル扉６の金属枠に連結部材７を溶接などで直接固定する構成のほか、連結部材７の各アーム部７ｂの先端を繋ぐ取付け板に各アーム部７ｂの先端を溶接などで固定し、この取付け板をグリル扉６の金属枠にネジ止めや、係止爪にて着脱自在に取付ける構成が採用できる。
【００４５】
また、グリル皿４と連結部材７との連結係合は、例えば、グリル皿４の後縁４ｂに形成した開口（不図示）に連結部材７の後端立ち上がり片が挿入されて係合する構成を採用することもできる。
〈実施形態２〉
図７は、本発明の実施形態２に係る調理器としてのグリルの要部を示す概略断面図である。
【００４６】
本実施形態では、グリル扉２２がグリル庫２０の前面開口２１を起立状態で閉じるための支え部材としてグリル皿２３が用いられている。グリル皿２３の底部の前面には傾斜部２３ａが形成されている。また、グリル庫２０の底面２０ａの前部には盛り上げ部を形成してその後面に滑り台２０ｂが形成されている。グリル扉２２は、グリル皿２３の前面に支持部材２４を介して着脱自在に取付けられている。
【００４７】
そして、グリル扉２２が前面開口２１を閉じた状態のときに、グリル皿２３の傾斜部２３ａがグリル庫２０の滑り台２０ｂに乗る状態になっているので、グリル皿２３は滑り台２０ｂを滑り落ちようとすることにより、グリル扉２２を閉じようとする作用を与える。これにより、グリル扉２２は閉じ状態が保たれて、不用意に開いたりすることがない。なお、本実施形態では、滑り台２０ｂをグリル庫２０の底面２０ａを盛り上げて形成したが、前記実施形態１のようにローラを取付けることで滑り台を構成することもできる。
【００４８】
なお、上記した実施形態２では、グリル扉２２が前面開口２１を閉じた状態のときに、グリル皿２３の傾斜部２３ａがグリル庫２０の滑り台２０ｂに乗っている状態であるが、グリル扉２２が前面開口２１を閉じた状態のときに、グリル皿２３の傾斜部２３ａがグリル庫２０の滑り台２０ｂを滑り落ちて、奥側に位置しても良い。
〈実施形態３〉
図８は、本発明の実施形態３に係る調理器としてのグリルの要部を示す概略断面図である。
【００４９】
本実施形態では、支え部材であるグリル皿２３の水平部である底面２３ｂの前面側にグリル庫２０の奥方側に下がる傾斜部２３ａを設けると共に、グリル庫２０の底面２０ａの前側に奥方側が下がる段差部２０ｃを設けている。他の構成は実施形態２と同様である。
【００５０】
そして、グリル扉２２が前面開口２１を閉じた状態のときに、グリル皿２３の傾斜部２３ａがグリル庫２０の角部２０ｄに乗る状態になっているので、グリル皿２３は傾斜部２３ａが角部２０ｄを滑り落ちようとすることにより、グリル扉２２を閉じようとする作用を与える。これにより、グリル扉２２は閉じ状態が保たれて、不用意に開いたりすることがない。
【００５１】
なお、上記した実施形態３では、グリル扉２２が前面開口２１を閉じた状態のときに、グリル皿２３の傾斜部２３ａがグリル庫２０の段差部２０ｃの角部２０ｃに乗っている状態であるが、グリル扉２２が前面開口２１を閉じた状態のときに、グリル皿２３の傾斜部２３ａがグリル庫２０の段差部２０ｃの角部２０ｃを滑り落ちて、奥側に位置しても良い。
〈実施形態４〉
図９は、本発明の実施形態４に係る調理器としてのグリルの要部を示す概略断面図である。
【００５２】
本実施形態では、グリル庫２０の底面２０ａに奥方へ行くほど下がり傾斜の滑り台２０ｂを設けると共に、支え部材であるグリル皿２３の水平部である底面２３ｂの前方側に奥側の水平部から上がる前面２３ｄとで形成された角部２３ｃを設けている。他の構成は実施形態２と同様である。
【００５３】
そして、グリル扉２２が前面開口２１を閉じた状態のときに、グリル皿２３の角部２３ｃがグリル庫２０の滑り台２０ｂに乗る状態になっているので、グリル皿２３は滑り台２０ｂを滑り落ちようとすることにより、グリル扉２２を閉じようとする作用を与える。これにより、グリル扉２２は閉じ状態が保たれて、不用意に開いたりすることがない。
【００５４】
なお、上記した実施形態４では、グリル扉２２が前面開口２１を閉じた状態のときに、グリル皿２３の角部２３ｃがグリル庫２０の滑り台２０ｂに乗っている状態であるが、グリル扉２２が前面開口２１を閉じた状態のときに、グリル皿２３の角部２３ｃがグリル庫２０の滑り台２０ｂを滑り落ちて、奥側に位置しても良い。
【００５５】
また、上記した実施形態２、４のグリル庫２０の滑り台２０ｂ、及び上記した実施形態３のグリル庫２０に設けた段差部２０ｃの角部２０ｃの代わりに、上記した実施形態１のローラ１５を用いる構成を採用することもできる。
【図面の簡単な説明】
【００５６】
【図１】本発明の実施形態１に係るグリルのグリル皿を収納した状態を示す概略側断面図。
【図２】連結部材に連結されたグリル皿を示す斜視図。
【図３】本発明の実施形態１に係るグリルのグリル庫の前側を示す概略斜視図。
【図４】グリル皿がグリル庫から少し引き出されたときの、ローラとアーム部の先端曲げ部近傍を示す拡大断面図。
【図５】グリル皿がグリル庫から係止位置まで引き出されたときの状態を示す概略側断面図。
【図６】実施形態１の変形例における把手が接続されたグリル皿を示す概略斜視図。
【図７】本発明の実施形態２におけるグリル扉と支え部材となるグリル皿が接続されたグリルの前側を示す概略断面図。
【図８】本発明の実施形態３におけるグリル扉と支え部材となるグリル皿が接続されたグリルの前側を示す概略断面図。
【図９】本発明の実施形態４におけるグリル扉と支え部材となるグリル皿が接続されたグリルの前側を示す概略断面図。
【符号の説明】
【００５７】
１        グリル
２        グリル庫
３        加熱源
４        グリル皿（支え部材）
５        前面開口
６        グリル扉
７        連結部材（支え部材）
７ａ      後辺部
７ｂ      アーム部
７ｂ１    先端曲げ部
７ｂ４    傾斜辺
８        把手
９        焼網
１２      グリル皿ローラ
１３      下ガイド部材
１４      上ガイド部材
１５      ローラ
１５ａ    円弧状外周面
【図１】
2005192870.tif 000003
【図２】
2005192870.tif 000004
【図３】
2005192870.tif 000005
【図４】
2005192870.tif 000006
【図５】
2005192870.tif 000007
【図６】
2005192870.tif 000008
【図７】
2005192870.tif 000009
【図８】
2005192870.tif 000010
【図９】
2005192870.tif 000011